(57)【要約】【課題】テープ状光ファイバからの分岐導出を簡単容易にする。【解決手段】テープ状光ファイバ１の両分断ファイバ端１ａ，１ｂの間に分岐用ファイバ材３が挿入配置される。分岐用ファイバ材３は連結用光ファイバ心線端材４と分岐用光ファイバ心線端材５とシート材７とを有する。連結用光ファイバ心線端材４は、その端材両端がその配列状態のままでシート材７から引き出される。分岐用光ファイバ心線端材５の一端５ａは、その配列状態のままでシート材７から引き出される。分岐用光ファイバ心線端材５の他端５ｂは、連結用光ファイバ心線端材４の配列から分かれてシート材７から引き出される。連結用光ファイバ心線端材４の両端は、分断ファイバ端１ａ，１ｂから引き出された光ファイバ心線２に接続される。分岐用光ファイバ心線端材５の一端５ａは、一方の分断ファイバ端１ａから引き出された光ファイバ心線２に接続される。【選択図】        図１
2004264469.tif 000002
【特許請求の範囲】
【請求項１】
整列配置された複数の光ファイバ心線を備えたテープ状光ファイバから、一ないし複数の光ファイバ心線を分岐して取り出すテープ状光ファイバの分岐接続構造であって、
前記テープ状光ファイバは分岐箇所で分断されたうえで、両分断ファイバ端の間に分岐用ファイバ材が挿入配置されており、
前記分岐用ファイバ材は、分岐させない前記光ファイバ心線に対応して設けられた連結用光ファイバ心線端材と、分岐させる前記光ファイバ心線に対応して設けられた分岐用光ファイバ心線端材と、前記連結用光ファイバ端材と前記分岐用光ファイバ心線端材とを挟持保持するシート材とを有しており、
前記連結用光ファイバ心線端材は、前記シート材内で整列配置されたうえで、その端材両端がその配列状態のままで前記シート材から引き出されており、
前記分岐用光ファイバ心線端材の一端は、前記連結用光ファイバ心線端材の列と同列に配置されたうえで、その配列状態のままで前記シート材から引き出されており、
前記分岐用光ファイバ心線端材の他端は、前記連結用光ファイバ心線端材の配列から分かれて前記シート材から引き出されており、
前記連結用光ファイバ心線端材の両端それぞれは、各連結用光ファイバ心線端材に対応して両前記分断ファイバ端から引き出された前記光ファイバ心線それぞれに接続されており、
前記分岐用光ファイバ心線端材の一端は、前記分岐用光ファイバ心線端材に対応して一方の前記分断ファイバ端から引き出された前記光ファイバ心線に接続されている、
ことを特徴とするテープ状光ファイバの分岐接続構造。
【請求項２】
請求項１に記載のテープ状光ファイバの分岐接続構造において、
前記分岐用ファイバ材は、前記シート材に挟持保持されたダミー心線端材をさらに有しており、
前記ダミー心線端材は、前記分岐用光ファイバ心線端材の一端の延長線上に、前記連結用光ファイバ心線端材の列と同列に配置されたうえで、その配列状態のままで前記シート材から引き出されており、
前記ダミー心線端材の引き出し端は、前記分岐用光ファイバ心線端材の一端に対応して他方の前記分断ファイバ端から引き出された前記光ファイバ心線に接続されている、
ことを特徴とするテープ状光ファイバの分岐接続構造。
【請求項３】
請求項２に記載のテープ状光ファイバの分岐接続構造において、
前記分岐用光ファイバ心線端材の一端と前記連結用光ファイバ心線端材と前記ダミー心線端材とは、前記光ファイバ心線の配列間隔と同じ配列間隔で配置されている、
ことを特徴とするテープ状光ファイバの分岐接続構造。
【請求項４】
請求項１ないし３のいずれかに記載のテープ状光ファイバの分岐接続構造において、
前記分岐用ファイバ材は、前記分岐用光ファイバ心線端材を分波する分波器をさらに備えており、
前記分波器は前記シート材に挟持保持されており、
前記分波器により分波された分岐用光ファイバ心線端材が前記シート材から引き出されている、
ことを特徴とするテープ状光ファイバの分岐接続構造。
【請求項５】
整列配置された光ファイバ心線を備えたテープ状光ファイバを分岐箇所で分断したうえで分岐する光ファイバ心線を取り出すテープ状光ファイバの分岐接続構造において、前記テープ状光ファイバの両分断ファイバ端の間に挿入配置される分岐用ファイバ材であって、
分岐させない前記光ファイバ心線に対応して設けられた連結用光ファイバ心線端材と、
分岐させる前記光ファイバ心線に対応して設けられた分岐用光ファイバ心線端材と、
前記連結用光ファイバ端材と前記分岐用光ファイバ心線端材とを挟持保持するシート材と、
を有しており、
前記連結用光ファイバ心線端材は、前記シート材内で整列配置されたうえで、その端材両端がその配列状態のままで前記シート材から引き出されており、
前記分岐用光ファイバ心線端材の一端は、前記連結用光ファイバ心線端材の列と同列に配置されたうえで、その配列状態のままで前記シート材から引き出されており、
前記分岐用光ファイバ心線端材の他端は、前記連結用光ファイバ心線端材の配列から分かれて前記シート材から引き出されており、
前記連結用光ファイバ心線端材は、その両端それぞれが、各連結用光ファイバ心線端材に対応して両前記分断ファイバ端から引き出された前記光ファイバ心線それぞれに接続されるものであり、
前記分岐用光ファイバ心線端材は、その一端が、前記分岐用光ファイバ心線端材に対応して一方の前記分断ファイバ端から引き出された前記光ファイバ心線に接続されるものである、
ことを特徴とする分岐用ファイバ材。
【請求項６】
請求項５に記載の分岐用ファイバ材において、
前記分岐用ファイバ材は前記シート材に挟持保持されたダミー心線端材をさらに有しており、
前記ダミー心線端材は、前記分岐用光ファイバ心線端材の一端の延長線上に、前記連結用光ファイバ心線端材の列と同列に配置されたうえで、その配列状態のままで前記シート材から引き出されており、その引き出し端は、前記分岐用光ファイバ心線端材の一端に対応して他方の前記分断ファイバ端から引き出された前記光ファイバ心線に接続されるものである、
ことを特徴とする分岐用ファイバ材。
【請求項７】
請求項６に記載の分岐用ファイバ材において、
前記連結用光ファイバ心線端材と前記分岐用光ファイバ心線端材と前記ダミー心線端材とは、前記光ファイバ心線の配列間隔と同じ配列間隔で配置されている、
ことを特徴とする分岐用ファイバ材。
【請求項８】
請求項５ないし７のいずれかに記載の分岐用ファイバ材において、
前記分岐用光ファイバ心線端材を分波する分波器をさらに備えており、
前記分波器は前記シート材に挟持保持されており、前記分波器により分波された複数の分岐用光ファイバ心線端材が前記シート材から引き出されている、
ことを特徴とする分岐用ファイバ材。
【発明の詳細な説明】
【０００１】
【発明の属する技術分野】
本発明は、整列配置された複数の光ファイバ心線を備えたテープ状光ファイバの途中から、一部の光ファイバ心線を分岐導出する分岐接続構造およびそれに用いる分岐用ファイバ材に関する。
【０００２】
【従来の技術】
例えば、４心あるいは８心のテープ状光ファイバから１心あるいは２心だけを分岐して取り出す場合、まず、テープ状光ファイバが１心ごとの光ファイバに分離されたうえで、所定の光ファイバ心線だけが分断される。そのうえで、分断された光ファイバ心線が引出し線に接続される。テープ状光ファイバから所定の光ファイバ心線だけを分断して分離するための作業の容易化を図るために専用工具が提案されている（非特許文献１参照）。
【０００３】
【非特許文献１】
２００１年電子情報通信学会通信ソサエティ大会Ｂ−１０−７（４心テープ用単心分離工具の開発）
【０００４】
【発明が解決しようとする課題】
上記した分岐接続手段によると、専用工具を用いて作業の容易化が図られているとはいえ慎重な扱いが要求されるので、このような光ファイバ心線の分離作業は工事現場で行う場合、状況によっては作業に時間がかかる。
【０００５】
本発明は、このような実情に着目してなされたものであって、手間のかかる心線分離作業を必要とすることなく、テープ状光ファイバからの引出し線の分岐導出を簡単容易に行えるようにすることを目的とする。
【０００６】
【課題を解決するための手段】
本発明では、上記目的を達成するために、次のように構成している。
【０００７】
すなわち、整列配置された複数の光ファイバ心線を備えたテープ状光ファイバから、一ないし複数の光ファイバ心線を分岐して取り出すテープ状光ファイバの分岐接続構造であって、前記テープ状光ファイバは分岐箇所で分断されたうえで、両分断ファイバ端の間に分岐用ファイバ材が挿入配置されている。
【０００８】
前記分岐用ファイバ材は、分岐させない前記光ファイバ心線に対応して設けられた連結用光ファイバ心線端材と、分岐させる前記光ファイバ心線に対応して設けられた分岐用光ファイバ心線端材と、前記連結用光ファイバ端材と前記分岐用光ファイバ心線端材とを挟持保持するシート材とを有している。
【０００９】
前記連結用光ファイバ心線端材は、前記シート材内で整列配置されたうえで、その端材両端がその配列状態のままで前記シート材から引き出されている。前記分岐用光ファイバ心線端材の一端は、前記連結用光ファイバ心線端材の列と同列に配置されたうえで、その配列状態のままで前記シート材から引き出されている。前記分岐用光ファイバ心線端材の他端は、前記連結用光ファイバ心線端材の配列から分かれて前記シート材から引き出されている。前記連結用光ファイバ心線端材の両端それぞれは、各連結用光ファイバ心線端材に対応して両前記分断ファイバ端から引き出された前記光ファイバ心線それぞれに接続されている。前記分岐用光ファイバ心線端材の一端は、前記分岐用光ファイバ心線端材に対応して一方の前記分断ファイバ端から引き出された前記光ファイバ心線に接続されている。
【００１０】
この構成によると、テープ状光ファイバを適所において分断したうえで、その分断ファイバ端に分岐用ファイバ材を挿入配置して接続すれば、光ファイバ心線を分岐導出することができる。
【００１１】
また、分岐接続の対象となるテープ状光ファイバの仕様に対応させた分岐用ファイバ材を予め準備しておき、これを分岐工事現場に持ち込んでテープ状光ファイバの分断ファイバ端の間に接続することで、光ファイバの分岐端を導出することができる。
【００１２】
この場合、次のように構成するのが好ましい。すなわち、前記分岐用ファイバ材は、前記シート材に挟持保持されたダミー心線端材をさらに有している。前記ダミー心線端材は、前記分岐用光ファイバ心線端材の一端の延長線上に、前記連結用光ファイバ心線端材の列と同列に配置されたうえで、その配列状態のままで前記シート材から引き出されている。前記ダミー心線端材の引き出し端は、前記分岐用光ファイバ心線端材の一端に対応して他方の前記分断ファイバ端から引き出された前記光ファイバ心線に接続されている。
【００１３】
このようにすれば、テープ状光ファイバの両分断ファイバ端と、分岐用ファイバ材端材の両端部およびダミー心線端材との間の接続処理は、テープ状光ファイバどうしを接続する場合と同本数の接続処理になるので、通常使用している接続器具を使用することが可能となる。
【００１４】
この場合、さらに、前記分岐用光ファイバ心線端材の一端と前記連結用光ファイバ心線端材と前記ダミー心線端材とは、前記光ファイバ心線の配列間隔と同じ配列間隔で配置されているのが好ましい。そうすれば、通常使用している接続器具を容易にかつ精度高く使用することが可能となり、分岐接続精度が向上する。
【００１５】
なお、前記分岐用ファイバ材は、前記分岐用光ファイバ心線端材を分波する分波器をさらに備えており、前記分波器は前記シート材に挟持保持されており、前記分波器により分波された多数の分岐用光ファイバ心線端材が前記シート材から引き出されているのが好ましい。そうすれば、一本の光ファイバ心線を、複数本の分岐用光ファイバ線端材に分岐して引き出すことが簡単にできる。
【００１６】
【発明の実施の形態】
以下、本発明の実施の態様のいくつかを図面に基づいて説明する。
【００１７】
〔第１の実施の形態〕
図１に、本発明を４心形のテープ状光ファイバに適用した場合の実施の形態が示されている。
【００１８】
テープ状光ファイバ１には、４本の光ファイバ心線２が所定ピッチで整列（並列）配置されたうえで樹脂材８でテープ状に封止されており、このテープ状光ファイバ１が適所において分断されて、その両分断ファイバ端１ａ，１ｂの間に分岐用ファイバ材３が挿入配置されている。
【００１９】
分岐用ファイバ材３は、連結用光ファイバ心線端材４と、分岐用光ファイバ心線端材５、ダミー心線端材６とが並列装備されている。こらら端材４，５，６は、基本的にはテープ状光ファイバ１の心線配置ピッチと同ピッチで配置されている。さらに、端材４，５，６は、積層一体化された２枚の樹脂製シート材７の間に挟持保持されている。
【００２０】
なお、図において、光ファイバ心線２，連結用光ファイバ心線端材４，分岐用光ファイバ心線端材５，ダミー心線端材６は、露出しているように描写されているが、これは理解を容易にするために便宜的に露出しているように描写しているだけであって、実際にはこれらは樹脂材８やシート材７中に埋設されているのはいうまでもない。
【００２１】
連結用光ファイバ心線端材４は、分岐させない光ファイバ心線２に対応して設けられている。分岐用光ファイバ心線端材５は、分岐させる光ファイバ心線２に対応して設けられている。連結用光ファイバ心線端材４は、シート材７内で整列配置されたうえで、その端材両端がその配列状態のままでシート材７から引き出されている。分岐用光ファイバ心線端材５の一端５ａは、連結用光ファイバ心線端材４と同列に配置されたうえで、その配列状態のままでシート材７から引き出されている。分岐用光ファイバ心線端材５の他端５ｂは、連結用光ファイバ心線端材４の配列から分かれてシート材７から引き出されている。
【００２２】
ダミー心線端材６は、分岐用光ファイバ心線端材５の一端５ａの延長線上に、連結用光ファイバ心線端材４の列と同列に配置されている。ダミー心線端材６はその配列状態のままでシート材７から引き出されている。
【００２３】
これにより、分岐用光ファイバ心線端材５の一端５ａと連結用光ファイバ心線端材４とは、テープ状光ファイバ１における光ファイバ心線２の配設順と同配列同ピッチで分岐用ファイバ材３の一端３ａから引き出されている。同様に、ダミー心線端材６と連結用光ファイバ心線端材４とは、テープ状光ファイバ１における光ファイバ心線２の配設順と同配列同ピッチで分岐用ファイバ材３の他端３ｂから引き出されている。なお、図１において分岐用ファイバ材３における一端３ａと他端３ｂとは、分岐用ファイバ材３において互いに対向する端部となっているが、特に対向する端部に限定されない。一端３ａと他端３ｂとは、連結用光ファイバ心線端材４の配列方向に沿った分岐用ファイバ材３の両端であればよい。
【００２４】
連結用光ファイバ心線端材４の両端それぞれは、テープ状光ファイバ１の分断ファイバ端１ａ，１ｂそれぞれから引き出された光ファイバ心線２に接続されている。連結用光ファイバ心線端材４それぞれは、対応する光ファイバ心線２、すなわち、テープ状光ファイバ１において同じ配列順に位置する光ファイバ心線２に接続されている。
【００２５】
分岐用光ファイバ心線端材５の一端５ａは、対応する光ファイバ心線２、すなわち、テープ状光ファイバ１において同じ配列順に位置する光ファイバ心線２に接続されている。
【００２６】
ダミー心線端材６は、他方の分断ファイバ端１ｂから引き出された、対応する光ファイバ心線２、すなわち、テープ状光ファイバ１において同じ配列順に位置する光ファイバ心線２に接続されている。
【００２７】
このように、連結用光ファイバ心線端材４，分岐用光ファイバ心線端材５，およびダミー心線端材６は、同ピッチで配置されたうえで同じ配列順に配置された光ファイバ心線２に接続されるために、これらの接続作業には、テープ状光ファイバ１に接続工程において汎用される接続器具（図示省略）を用いて接続することができる。ダミー心線端材６は、テープ状光ファイバ１に接続工程において汎用される接続器具（図示省略）の使用を容易にするために分岐用ファイバ材３に設けられている。
【００２８】
このように構成された分岐接続構造においては、分岐用光ファイバ心線端材５の一端５ａが光ファイバ心線２に接続されたうえで、他端５ｂが連結用光ファイバ心線端材４の配列とは分かれてシート材７から引き出されている。そのため、分岐用光ファイバ心線端材５に接続された光ファイバ心線２は、分岐用光ファイバ心線端材５によって他の光ファイバ心線２から分岐されてテープ状光ファイバ１から引き出されることになる。
【００２９】
〔第２の実施の形態〕
図２（ａ），（ｂ）に、本発明の第２の実施の形態が示されている。
【００３０】
本実施の形態では、分岐用ファイバ材３に、２本の連結用光ファイバ心線端材４と、２本の分岐用光ファイバ心線端材５と、２本のダミー心線端材６とが設けられている。分岐用光ファイバ心線端材５やダミー心線端材６の構成は、基本的には第１の実施の形態と同様である。
【００３１】
この場合、図２（ｂ）に示すように、分岐用ファイバ材３の他端３ｂにおける連結用光ファイバ心線端材４とダミー心線端材６との配列順を任意に設定することで、出線側における信号系の配列を任意に設定することができる。
【００３２】
〔第３の実施の形態〕
図３に、本発明の第３の実施の形態が示されている。
【００３３】
本実施形態では、分岐用光ファイバ心線端材５の一端５ａと他端５ｂとの間に分波器９が挿入されるとともに、分波器９には、複数の分岐用光ファイバ心線端材５の他端５ｂが接続されて導出されている。
【００３４】
〔第４の実施の形態〕
図４に、本発明の第４の実施の形態が示されている。
【００３５】
本実施形態では、分岐用ファイバ材３に、テープ状光ファイバ１と同数の心線数となる４本の連結用光ファイバ心線端材４が設けられている。連結用光ファイバ心線端材４は、光ファイバ心線２と同配列同ピッチで配列されている。連結用光ファイバ心線端材４それぞれの中途部には分波器１０が挿入配置されている。分波器１０それぞれには分岐用光ファイバ心線端材１１が接続されている。分岐用光ファイバ心線端材１１は、連結用光ファイバ心線端材４の配列から分かれて引き出されたうで、分岐用ファイバ材３から引き出されている。
【００３６】
本実施形態では、連結用光ファイバ心線端材４それぞれに分波器１０を設けることで、連結用光ファイバ心線端材４それぞれを分波して分岐用光ファイバ心線端材１１を引き出している。そのため、本実施形態においては、連結用光ファイバ心線端材４の非分岐端が分岐用光ファイバ心線端材の一端に相当し、分岐用光ファイバ心線端材１１自体は、分岐用光ファイバ心線端材の他端に相当する。
【００３７】
【発明の効果】
以上の説明から明らかなように、本発明によれば、手間のかかる心線分離作業を必要とすることなく、通常の光ファイバ接続処理を行うだけで分岐導出を簡単容易に行うことができるようになる。また、複数本の分岐導出を簡単容易に行うことができるようになる。また、分岐接続の対象となるテープ状光ファイバの仕様に対応した連結用光ファイバ心線端材と所定の本数の分岐用光ファイバ心線とを備えた分岐用ファイバ材を予め準備して現場に持ち込んで、テープ状光ファイバの分断箇所に接続するだけで、所定本数の分岐導出処理を現場で容易に行うことができる。
【図面の簡単な説明】
【図１】本発明に係るテープ状光ファイバの分岐接続構造の第１実施の形態における接続処理手順の概略を示す説明図である。
【図２】第２の実施の形態の概略図である。
【図３】第３の実施の形態の概略図である。
【図４】第４の実施の形態の概略図である。
【符号の説明】
１  テープ状光ファイバ    １ａ，１ｂ  分断ファイバ端
２  光ファイバ心線      ３  分岐用ファイバ材
４  連結用光ファイバ心線端材  ５  分岐用光ファイバ心線端材
６  ダミー心線端材      ７  シート材
８  樹脂材        ９  分波器
１０  分波器        １１  分岐用光ファイバ心線端材
【図１】
2004264469.tif 000003
【図２】
2004264469.tif 000004
【図３】
2004264469.tif 000005
【図４】
2004264469.tif 000006